(57)【特許請求の範囲】
【請求項１】
屋根仕上材が可とう性下地材の上に取り付けられるものであって、仕上材が透光性であり、下地材が可とう性基板上に薄膜太陽電池を形成してなる防水性を有するルーフィングであり、ルーフィングは互いに端部を重ねて敷設されていることを特徴とする太陽光発電用屋根。
【請求項２】
仕上材が透明な材料よりなる瓦である請求項１記載の太陽光発電用屋根。
【請求項３】
下地材の薄膜太陽電池の、可とう性基板側とは反対側が全面表面保護層で覆われた請求項１あるいは請求項２記載の太陽光発電用屋根。
【請求項４】
下地材が切断可能部に出力端導体が露出する長尺のロール材から切り出された請求項１ないし３のいずれかに記載の太陽光発電用屋根。
【請求項５】
複数の下地材の各切断部に露出する出力端導体が相互に接続された請求項４記載の太陽光発電用屋根。
【請求項６】
下地材の切断部に露出する出力端導体の一対がインバータに接続された請求項４あるいは５記載の太陽光発電用屋根。
【発明の詳細な説明】
【０００１】
【産業上の利用分野】
本発明は、住宅等の上部に設置して電力を得ることのできる太陽光発電用屋根に関する。
【０００２】
【従来の技術】
クリーンエネルギーの供給源としての太陽電池に対する期待は大きい。太陽電池により得られる電力量は、太陽電池の面積に比例するため大きな電力量を得るためには、広い太陽電池の設置場所が必要である。そのような設置場所として、建築物の上面、特に他の利用の途が少ない傾斜した住宅などの瓦ぶきの屋根の上を利用することは、電力消費場所に近接している点でも適している。
【０００３】
太陽電池を住宅等の屋根の上に設置する最も単純な方法は、屋根瓦上に架台を屋根構造部材に金具等で固定することによって設置し、この架台上に複数の太陽電池素子からなるモジュールを設置する方法である。しかし、この場合には、架台やモジュールは屋根とは独立の構造物となり、大きな強度を要求されることになるばかりでなく、架台並びに太陽電池モジュールが住宅の美観を損ねてしまうという問題点があった。
【０００４】
そこで、これに代わる方法として太陽電池瓦の開発が進められている。この太陽電池瓦は、瓦基材の上に太陽電池素子を直接形成する、あるいは瓦基材に太陽電池素子を貼りつけたり、埋め込んだりすることにより形成される。
【０００５】
【発明が解決しようとする課題】
しかし、このような太陽電池瓦には、それ自体が高コストであるという問題点の他に、設置作業が極めて繁雑であるという実用上の大きな問題点がある。すなわち、個々の太陽電池瓦には＋と−の２個の出力端が設けられ、瓦敷設時に、この出力端を太陽電池表面を遮らないように適宜直列あるいは並列につないでいく配線作業は極めて繁雑であり、設置コストが高コストとなる。
【０００６】
本発明の目的は、これらの問題点を解決し、構築容易で低コストの太陽光発電用屋根を提供することにある。
【０００７】
【課題を解決するための手段】
上記の目的を達成するために、本発明の太陽光発電用屋根は、
屋根仕上材が可とう性下地材の上に取り付けられるものであって、仕上材が透光性であり、下地材が可とう性基板上に薄膜太陽電池を形成してなる防水性を有するルーフィングであり、ルーフィングは互いに端部を重ねて敷設されているものとする。ここで、仕上材が透明な材料からなる瓦であることが有効であり、下地材の薄膜太陽電池の、可とう性基板側とは反対側が全面表面保護層で覆われることが良い。また、下地材が切断可能部に出力端導体が露出する長尺のロール材から切り出されたこと、複数の下地材の各切断部に露出する出力端導体が相互に接続されたこと、あるいは下地材の切断部に露出する出力端導体の一対がインバータに接続されることが好ましい。
【０００８】
【作用】
住宅などの屋根は、ルーフィングと呼ばれる防水性の可とう性下地材の上に瓦などの屋根仕上材をふくことによって作られる。このルーフィングに、可とう性基板上に薄膜太陽電池を形成したものを用い、その上の仕上材を透光性にすることにより架台を構築する必要がなく、仕上材を透過する太陽光により屋根自体で発電することが可能になる。そして、下地材はロール状長尺物として作成しておき必要な長さだけ切り出すことができ、かつその切り出し部に出力端導体が露出するようにしておけば、その導体相互を接続することにより、下地材上の太陽電池の直列あるいは並列の任意の接続が可能である。また、その出力端導体を用いてインバータに接続することもできる。
【０００９】
【実施例】
以下、図を引用して本発明の実施例について述べる。
図１（ａ）  、（ｂ）  は本発明の一実施例の住宅屋根の施工を示し、屋根ボード２の上に、表面上に太陽電池モジュールを備えたルーフィング１１、１２、１３を軒から棟に向かって３列に１００ｍｍ  ずつ重ねて敷設し、タッカーで固定する〔図１（ａ）  〕。次に、ルーフィングの上に強化ガラスよりなる瓦３をしきつめ、取付部材４を用いて固定する。このあと、さらに大棟のがんぶり部５を構築する〔図１（ｂ）  〕。
【００１０】
図１の屋根に用いたルーフィングは、図２に示すようにポリエーテルサルフォン、アラミド、ポリエチレンテレフタレート、ポリエチレンナフタレート、ポリイミドのような高分子材料のフィルム１０を基板として用いる。この可とう性基板１０の上に、アルミニウム薄膜を３００ｎｍ  の厚さにスパッタ法で成膜し、フォトリソグラフィによりパターニングして裏面電極２１、２２、２３─を短冊状に形成する。次に、プラズマＣＶＤ成膜室に、Ｈ２  と１０％のＳｉＨ４  の混合ガスを１０００ｓｃｃｍ、Ｃ２Ｈ２  を５ｓｃｃｍ、Ｂ２  Ｈ６  を１ｓｃｃｍの流量で流し、０．１Ｔｏｒｒの圧力、１００  ｍＷ／ｃｍ２のパワー密度で非晶質ＳｉＣからなるｐ層を１００  Åの膜厚に、  （１０％ＳｉＨ４  ＋Ｈ２  ）  ガスを１０００ｓｃｃｍ、Ｃ２  Ｈ２  を５ｓｃｃｍの流量で流し、１．０Ｔｏｒｒの圧力、１００  ｍＷ／ｃｍ２  のパワー密度で非晶質ＳｉＣからなるバッファ層を１００  Åの膜厚に順次成膜する。次に、１００  ％ＳｉＨ４  ガスを１０００ｓｃｃｍの流量で流し、０．５Ｔｏｒｒの圧力、１００  ｍＷ／ｃｍ２  のパワー密度で非晶質Ｓｉからなるｉ層を３０００Åの膜厚に、（１０  ％ＳｉＨ４  ＋Ｈ２  ）  ガスを１０００ｓｃｃｍ、ＰＨ３  を４ｓｃｃｍの流量で流し、１．０Ｔｏｒｒの圧力、１００  ｍＡ／ｃｍ２  のパワー密度で非晶質Ｓｉからなるｎ層を３００  Åの膜厚に順次成膜する。そして、フォトリソグラフィによりパターニングして薄膜半導体領域３１、３２、３３─を短冊状に形成する。次いで、酸化すずあるいはＩＴＯ、ＺｎＯなどの透明導電材料をスパッタ法で２０００ｎｍの厚さに成膜し、パターニングして短冊状の透明電極４１、４２、４３─を形成する。これにより、裏面電極２１、半導体薄膜３１、透明電極４１の組合わせ、裏面電極２２、半導体薄膜３２、透明電極４２の組合わせ等によって構成される各ユニットセルが直列に接続される。
【００１１】
ロール状の長尺可とう性基板１０上には、図３に示すように、約２００  直列に接続したユニットセルからなる発電部６１、６２、６３が間隙７を介して形成され、その間で正端子リード８１と負端子リード８２が露出している。各発電部６１、６２、６３は、基板１０の幅方向に図２に示した方法でユニットセルを直列接続すると共に、基板１０の長手方向にも直列接続して２００  Ｖのインバータに対する最適動作電圧である約２８０  Ｖの電圧が各発電部ごとに正端子リード８１と負端子リード８２から取り出せるようにする。さらに、発電部６１、６２と間隙７全体を覆って、図２に示すように厚さ５０μｍのポリビニルフルオライドからなる保護フィルム９を貼り付け、防水性を高める。
【００１２】
このようにして製造されたルーフィングを図１に示すように屋根に敷設するには、屋根の寸法に合わせて基板１０を間隙７の位置で切断する。間隙８の位置では、裏面電極２１、２２、２３─と透明電極３１、３２、３３─の少なくとも一方が除かれた構造となっているので、はさみやナイフ等で切断しても、裏面電極が接触して電気的短絡を起こすことはない。そして、切断されない間隙では、各発電部６１、６２、６３はリード８１、８２により並列に接続される。図１に示した屋根ボード２の上に敷設されたルーフィング１１、１２、１３は、切断された端部で露出している正端子リード８１および負端子リード８２をそれぞれ配線によって並列接続する。そして最外端にある正端子リード８１と負端子リード８２をインバータに接続することにより、太陽光によって発電された電力を実用化する。
【００１３】
【発明の効果】
本発明によれば、通常の住宅のルーフィングに相当する可とう性下地材を太陽電池モジュールを表面上に有する可とう性基板で、また、瓦に相当する屋根仕上材を透明なガラスで構成する構造としたので、太陽電池モジュールと住宅との一体感に優れ、屋根上に架台を設置し、その上に太陽電池モジュールを設置する場合のように建物の美観を損なうことがなく、構築が容易である。可とう性下地材は、可とう性フィルムを基板として薄膜太陽電池モジュールをロール状に形成しておき、あらかじめモジュール中に一定間隔おきに設けておいた間隙で屋根の寸法に合わせて切断して屋根上に敷設できるようにしたので、通常の紙製ルーフィングを敷設するのと全く同様の簡便な施工方法により屋根上に太陽電池を設置することができる。
【００１４】
さらに、屋根上に敷設した下地材上の太陽電池モジュールの並列接続は、敷設後端部に露出する端子導体をすべて並列に配線すれば良く、１枚ずつ設置する毎に直並列に配線する必要のある太陽電池瓦と比べ、配線作業が極めて容易である。
【図面の簡単な説明】
【図１】本発明の一実施例の屋根の施工を（ａ）  、（ｂ）  の順に示す斜視図
【図２】本発明の一実施例の屋根下地材の断面図
【図３】本発明の一実施例の屋根下地材の素材を示す斜視図
【符号の説明】
１０    可とう性基板
１１、１２、１３    ルーフィング
２    屋根ボード
２１、２２、２３    裏面電極
３    ガラス瓦
３１、３２、３３    薄膜半導体領域
４    取付部材
４１、４２、４３    透明電極
５    がんぶり部
６１、６２、６３    発電部
７    間隙
８１    正端子リード
８２    負端子リード
９    保護フィルム
【図１】
0003570738.tif 000002
【図２】
0003570738.tif 000003
【図３】
0003570738.tif 000004